(57)【要約】      （修正有）【課題】補助ペダルの動きをピアノのペダルに当接して伝達するように動作伝達部の調整を行う際、動作伝達部の調整が容易に行えるピアノ用補助ペダル装置を提供する。【解決手段】２つの補助ペダル機構がピアノの２つのペダルの間隔に離間して設けられ、２つの補助ペダル機構の間の足置板に、２つの補助ペダル機構の離間幅に略等しい幅の開口部が穿設されていることを特徴とする。開口部が穿設されていることから、補助ペダルの動きをピアノのペダルに当接して伝達するように動作伝達部の調整を行う際、足置板の上面から開口部を通して当接の状態を確認しながら作業ができ、動作伝達部の調整が容易である。【選択図】図１
0003151719.tif 000002
【実用新案登録請求の範囲】
【請求項１】
昇降する足置板の上面に揺動自在に固定された補助ペダルと、該補助ペダルの動きをピアノのペダルに当接して伝達する動作伝達部とを有する補助ペダル機構が２つ並設されたピアノ用補助ペダル装置において、
該２つの補助ペダル機構が該ピアノの２つのペダルの間隔に離間して設けられ、
該２つの補助ペダル機構の間の該足置板に、該２つの補助ペダル機構の離間幅に略等しい幅の開口部が穿設されていることを特徴とするピアノ用補助ペダル装置。
【請求項２】
前記足置板の開口部が、該足置板の前記ピアノ側の端面を切り欠いた状態に穿設されていることを特徴とする請求項１記載のピアノ用補助ペダル装置。
【請求項３】
２つの相対する前記補助ペダル機構の外脇側の前記足置板に、切欠部が穿設されていることを特徴とする請求項１又は請求項２記載のピアノ用補助ペダル装置。
【考案の詳細な説明】
【技術分野】
【０００１】
本発明は、ピアノ演奏時に演奏者のペダル踏みを補助するピアノ用補助ペダル装置に関する。
【背景技術】
【０００２】
従来より、幼児や年少児のように身長が低い演奏者がピアノの演奏用の椅子に着席した状態でピアノ本体の演奏用のペダルに足が届かない場合に、補助ペダルを介してピアノ本体のペダルを踏み込めるようにするピアノ用補助ペダル装置が用いられてきた。
【０００３】
この従来のピアノ用補助ペダル装置としては、例えば特許文献１に示されるものがある。従来のピアノ用補助ペダル装置は、昇降する足置板と、足置板の上面に揺動自在に固定された補助ペダルと、補助ペダルの動きをピアノのペダルに当接して伝達する動作伝達部とを有する。
【０００４】
動作伝達部は、板材を折り曲げて形成された筐体と、上下に伸びると共に弾性体で上方向に付勢された棒材とから一体に形成され、足置板の上面から棒材の上端が突出するように足置板の下面に固定されている。そして、棒材の上端が補助ペダルの下面に当接して押し下げられることにより、棒材の下端がピアノのペダルを踏み込んだ状態となり、補助ペダルが解放されることにより、棒材が上昇してピアノのペダルも上昇する。足置板は、演奏者の身長により高さの調整が必要で、足置板の高さを変えた場合、棒材の下端がピアノのペダルに当接するように棒材の高さを調整する。
【先行技術文献】
【特許文献】
【０００５】
【特許文献１】特開２００６−２２１１２０号公報
【考案の概要】
【考案が解決しようとする課題】
【０００６】
しかしながら、従来のピアノ用補助ペダル装置では、補助ペダルの動きをピアノのペダルに当接して伝達するように動作伝達部の調整を行う際、動作伝達部が足置板の下方に隠れているため、足置板の下面の側方から覗き込みながら作業することとなり、動作伝達部の調整が困難であった。
【０００７】
本考案は、このような事情に鑑みてなされたもので、補助ペダルの動きをピアノのペダルに当接して伝達するように動作伝達部の調整を行う際、足置板の上面から開口部を通して当接の状態を確認しながら作業ができ、動作伝達部の調整が容易に行えるピアノ用補助ペダル装置を提供することにある。
【課題を解決するための手段】
【０００８】
請求項１記載のピアノ用補助ペダル装置は、２つの補助ペダル機構がピアノの２つのペダルの間隔に離間して設けられ、２つの補助ペダル機構の間の足置板に、２つの補助ペダル機構の離間幅に略等しい幅の開口部が穿設されていることを特徴とする。
【０００９】
請求項２記載のピアノ用補助ペダル装置は、足置板の開口部が、足置板のピアノ側の端面を切り欠いた状態に穿設されていることを特徴とする。
【００１０】
請求項３記載のピアノ用補助ペダル装置は、２つの相対する補助ペダル機構の外脇側の足置板に、切欠部が穿設されていることを特徴とする。
【考案の効果】
【００１１】
請求項１の考案によれば、２つの補助ペダル機構の間の足置板に、２つの補助ペダル機構の離間幅に略等しい幅の開口部が穿設されていることから、補助ペダルの動きをピアノのペダルに当接して伝達するように動作伝達部の調整を行う際、足置板の上面から開口部を通して当接の状態を確認しながら作業ができ、動作伝達部の調整が容易である。
【００１２】
請求項２の考案によれば、足置板の開口部が、足置板のピアノ側の端面を切り欠いた状態に穿設されていることから、補助ペダルの動きをピアノのペダルに当接して伝達するように動作伝達部の調整を行う際、切り欠かれて大きく開口した開口部により調整の視界を広く確保でき、動作伝達部の調整が容易である。
【００１３】
請求項３の考案によれば、２つの相対する補助ペダル機構の外脇側の足置板に、切欠部が穿設されていることから、動作伝達部の調整をする際、補助ペダル機構の外脇側から足置板の下面に手を差し入れやすく、動作伝達部の調整が容易である。
【図面の簡単な説明】
【００１４】
【図１】本考案に係るピアノ用補助ペダル装置の一例を示す斜視図である。
【図２】同ピアノ用補助ペダル装置の動作を示す説明図である。
【図３】同ピアノ用補助ペダル装置の上面図である。
【考案を実施するための形態】
【００１５】
以下、本考案の形態について図面を参照しながら具体的に説明する。図１は、本考案に係るピアノ用補助ペダル装置の一例を示す斜視図である。図２は、同ピアノ用補助ペダル装置の動作を示す説明図である。図３は、同ピアノ用補助ペダル装置の上面図である。
【００１６】
本考案の形態におけるピアノ用補助ペダル装置１は、ピアノ３０の演奏時に演奏者のペダル踏みを補助するものである。具体的には、幼児や年少児のように身長が低い演奏者がピアノ３０の演奏用の椅子に着席した状態でピアノ３０の演奏用のペダルに足が届かない場合に、補助ペダル１０を介してピアノ３０のペダルを踏み込めるようにするものである。
【００１７】
図において、ピアノ用補助ペダル装置１は、台箱６に設けられた昇降装置７に支持された足置板５と、２つの並列した補助ペダル機構２とからなる。足置板５は、演奏者が足を置いてピアノ３０を演奏する板である。昇降装置７は、演奏者の身長に合わせて足置板５を上下に動かすものであり、足置板５の左右に設けられた昇降ノブ７ａを回転させることによりジャッキー構造を伸縮させて足置板５の高さを調整する。
【００１８】
補助ペダル機構２は、足置板５の上面に揺動自在に固定された補助ペダル１０と、足置板５の下面に固定された動作伝達部３とで構成される。補助ペダル機構２は、ピアノ３０の２つのペダルの間隔に離間して設けられている。補助ペダル１０は、図示しない軸支部を介して、揺動自在に軸支され、この軸支部には、軸支部全体を覆うようにカバー１２が被せられている。動作伝達部３は、上部に開口を有する箱状に板材を折り曲げて形成した筐体２１と、筐体２１を上下に貫通して伸びる円筒状の棒材２０とが一体に形成されている。棒材２０は、筐体２１の下面から上方向に貫通し、弾性体により上方向に付勢された状態となっている。棒材２０の下端には、ピアノ３０のペダルに当接しつつ押し下げるための当接板８が固定されている。棒材２０の下部の側面には、当接板８を任意の高さに固定するための高さ調整ネジ９が螺入されている。
【００１９】
足置板５には、補助ペダル機構２の離間幅に略等しい幅の開口部５ａが、ピアノ３０側の側面を切り欠いた状態で穿設されている。さらに、足置板５の補助ペダル機構２の外脇側には、切欠部５ｂが穿設されている。この切欠部５ｂは、足置板５のピアノ３０側の両角が、ピアノ３０から遠ざかる方向に補助ペダル機構２の奥行き分の長さで穿設されている。
【００２０】
次に、ピアノ用補助ペダル装置１の動作を説明する。まず、演奏者又は演奏者の補助者が、ピアノ３０のペダルの前にピアノ用補助ペダル装置１を設置する。そして、演奏者の足が足置板５に着くように昇降装置７を操作して、足置板５の高さを調整する。次に、当接板８がピアノ３０のペダルに当接するように当接板８の高さを決め、高さ調整ネジ９で当接板８を棒材２０に固定する。当接板８の高さを調整する際、足置板５の両脇の切欠部５ｂから手を差し入れ、足置板５の上面に穿設された開口部５ａより覗き込みつつ、当接板８とピアノ３０のペダルの位置を確認しながら高さを調整する。
【００２１】
足置板５の高さ調整と動作伝達部３の調整が終わった段階で、演奏者はピアノ３０の演奏が可能になる。演奏者が、補助ペダル１０を踏み込むと、動作伝達部３の棒材２０の上端が補助ペダル１０の下面に当接して押し下げられる。そして、棒材２０が弾性体に抗して下がり、当接板８を介して棒材２０の下端がピアノ３０のペダルを踏み込んだ状態となる。逆に、補助ペダル１０が解放されると、棒材２０が弾性体の弾性力により上昇して、ピアノ３０のペダルも上昇する。
【００２２】
以上のように、本実施の形態のピアノ用補助ペダル装置１によれば、２つの補助ペダル機構２の間の足置板５に、２つの補助ペダル機構２の離間幅に略等しい幅の開口部５ａが穿設されていることから、補助ペダル１０の動きをピアノ３０のペダルに当接して伝達するように動作伝達部３の調整を行う際、足置板５の上面から開口部５ａを通して当接の状態を確認しながら作業ができ、動作伝達部３の調整が容易である。
【００２３】
また、足置板５の開口部５ａが、足置板５のピアノ３０側の端面を切り欠いた状態に穿設されていることから、補助ペダル１０の動きをピアノ３０のペダルに当接して伝達するように動作伝達部３の調整を行う際、切り欠かれて大きく開口した開口部５ａにより調整の視界を広く確保でき、動作伝達部３の調整が容易である。
【００２４】
さらに、２つの相対する補助ペダル機構２の外脇側の足置板５に、切欠部５ｂが穿設されていることから、動作伝達部３の調整をする際、補助ペダル機構２の外脇側から足置板５の下面に手を差し入れやすく、動作伝達部３の調整が容易である。
【産業上の利用可能性】
【００２５】
本考案により、補助ペダルの動きをピアノのペダルに当接して伝達するように動作伝達部の調整を行う際、足置板の上面から開口部を通して当接の状態を確認しながら作業ができ、動作伝達部の調整が容易に行えるピアノ用補助ペダル装置を提供することができる。
【符号の説明】
【００２６】
１・・・・ピアノ用補助ペダル装置
２・・・・補助ペダル機構
３・・・・動作伝達部
５・・・・足置板
５ａ・・・開口部
５ｂ・・・切欠部
６・・・・台箱
７・・・・昇降装置
７ａ・・・昇降ノブ
８・・・・当接板
９・・・・高さ調整ネジ
１０・・・補助ペダル
１２・・・カバー
２０・・・棒材
２１・・・筐体
３０・・・ピアノ
【図１】
0003151719.tif 000003
【図２】
0003151719.tif 000004
【図３】
0003151719.tif 000005